(57)【要約】本発明は、接点ばねストリップと、特に素子群支持体用フロントパネルとを備え、しかも前記接点ばねストリップが、端部側を自在に外向旋回可能な屈曲された接点脚片を有している形式の接点ユニットに関する。接点ばねストリップの機械的な抵抗力を改善するために本発明では、接点脚片が、接点ばねストリップの長手方向に連続的に一貫して延在しているようにした。
2004524659.tif 000002
【特許請求の範囲】
【請求項１】
接点ばねストリップと接点素子と、特に素子群支持体用フロントパネルとを備え、しかも前記接点ばねストリップが、端部側を自在に外向旋回可能な屈曲された接点脚片を有している形式の接点ユニットにおいて、接点脚片（１６）が、接点ばねストリップ（１０）の長手方向に連続的に一貫して延在していることを特徴とする、接点ユニット。
【請求項２】
接点ばねストリップ（１０）がその接点脚片（１６）に沿って、接点ばね長手方向に連続的に一貫して延在する接点レール又は接点面を有している、請求項１記載の接点ユニット。
【請求項３】
接点ライン又は接点面に沿って相互間隔をとった複数の接点素子（１８）が配置されており、該接点素子が、前記の接点ライン又は接点面を超えて突出している、請求項２記載の接点ユニット。
【請求項４】
接点素子が接点エッジ又は接点チップポイントを有している、請求項３記載の接点ユニット。
【請求項５】
接点素子（１８）が接点脚片（１６）から押抜かれて、該接点脚片から屈曲されている、請求項３又は４記載の接点ユニット。
【請求項６】
接点素子（１８）が、接点面から打出された圧刻瘤として形成されている、請求項３又は４記載の接点ユニット。
【請求項７】
複数の接点素子（１８）相互が等ピッチ間隔をとって配置されており、しかもピッチ間隔がＥＭＶ防護要件に応じて特定されている、請求項３から６までのいずれか１項記載の接点ユニット。
【請求項８】
接点脚片（１６）が、接点ばねストリップ（１０）のウェブ（１５）から曲げ出されており、かつ前記ウェブ（１５）と接点脚片（１６）との間の移行領域において複数の係止部が打ち出されて、素子群支持体用フロントパネル（３０）の係止ウェブへ向かって屈曲されている、請求項１から７までのいずれか１項記載の接点ユニット。
【請求項９】
接点脚片（１６）に継手区分（１６．２）が接続されており、該継手区分が、係止ウェブ（３１）に係止される支持部分に結合されている、請求項１から８までのいずれか１項記載の接点ユニット。
【請求項１０】
支持部分が実質的にＵ形状に形成されており、かつ１つのウェブ（１５）と１つの保持ストリップ（１３）とによって、係止ウェブ（３１）の２つの対向側でクランプして保持されており、前記ウェブ（１５）がハット区分（１４）によって保持ストリップ（１３）と結合されており、かつ接点脚片（１６）の継手区分（１６．２）が前記ハット区分の領域において支持部分と結合されている、請求項９記載の接点ユニット。
【請求項１１】
接点ばねストリップ（１０）が、ハット区分（１４）を介してウェブ（１５）に結合された保持ストリップ（１３）を有し、前記の保持ストリップ（１３）、ウェブ（１５）及びハット区分（１４）が係止ウェブ（３１）の終端側ヘッド域（３３）を少なくとも部分的に包囲係合しており、かつ前記ウェブ（１５）から接点脚片（１６）が、係止ウェブ（３１）から離反した方向に屈曲されている、請求項１から８までのいずれか１項記載の接点ユニット。
【請求項１２】
接点ばねストリップ（１０）が素子群支持体用フロントパネル（３０）の係止ウェブ（３１）に噛合い係合して、該係止ウェブ（３１）に保持されている、請求項１から１１までのいずれか１項記載の接点ユニット。
【発明の詳細な説明】
【技術分野】
【０００１】
本発明は、接点ばねストリップと、特に素子群支持体用フロントパネルとを備え、しかも前記接点ばねストリップが、端部側を自由に外向旋回可能な屈曲された接点脚片を有している形式の接点ユニットに関する。
【背景技術】
【０００２】
前記形式の接点ユニットは、ドイツ連邦共和国特許第１９８ ４６ ６２７号明細書に基づいて公知である。その場合に使用される接点ばねストリップでは、それぞれ接点ばね板片とクランプ板片とが交互に列状に張出している。接点ばね板片はクランプ板片から隔離されている。従って接点ばね板片はその自由端部で支障なく外向旋回することができる。これに対してクランプ板片はフロントパネルの係止ウェブと係止されて該係止ウェブに固定的に保持されている。接点ばねストリップはフロントパネルと導電接続している。隣り合って配列された構成素子はそのフロントパネルの領域で接点ばね板片によって導電的に接点接続することができる。構造設計時に留意すべき点は、接点ばねストリップが機械的負荷を受ける場合があることである。これは、１つの構成素子支持体において構成素子を組付け又は組外す際に隣接構成素子の余盛もしくは鑞接残分又は鑞接ピンが接点ばねストリップを鉤止する場合が特にそうである。
【０００３】
またドイツ連邦共和国特許第１９５ ４４ ８３５号明細書には、形材長手方向に連続的に一貫して延びる係止付加部を有する接点ばねストリップが開示されている。該係止付加部から多数の接点ばねが曲げ出されている。該接点ばねは並列配置されており、かつ分割スリットによって互いに隔てられている。この接点ばねストリップの場合には、比較的割高の成形・押抜き経費が必要である。
【０００４】
発明の開示：
本発明の課題は、明細書冒頭で述べた形式の接点ユニットを改良して、単純な構造を有しかつ機械的影響に対して左右されないようにすることである。
【０００５】
前記課題を解決する本発明の構成手段は、接点脚片が、接点ばねストリップの長手方向に連続的に一貫して延在している点にある。
【０００６】
従来慣用の接点ばねストリップとは異なって本発明では、連続的に一貫した接点脚片が使用される。この接点脚片の場合、機械的作用に起因した損傷リスクが著しく低減される。
【０００７】
特に接点脚片は、前位構成部品に隣接した素子群が鉤止するのを防止する。そればかりでなく、連続的に一貫した接点脚片の使用に基づいて、押抜きコスト及び成形コストの削減を伴う著しく単純化された構造が実現される。
【０００８】
本発明の有利な実施形態では、接点ばねストリップはその接点脚片に沿って、接点ばね長手方向に連続的に一貫して延在する接点ライン又は接点面を有している。この接点ライン又は接点面は、ＥＭＶ防護要件が著しく相異している場合でも、確実なシールドを可能にする。
【０００９】
接点接続を改善するために本発明によれば、接点ライン又は接点面に沿って相互間隔をとった複数の接点素子が配置されており、該接点素子は、前記の接点ライン又は接点面を超えて突出しており、かつ接点エッジ又は接点チップポイントを有していることもできる。該接点素子は組付け時に、接点接続すべき隣接構成部品の表面に支持され又は噛み込むことができる。
【００１０】
接点素子は接点脚片から押抜かれて、該接点脚片から屈曲されているのが殊に有利である。その場合押抜きエッジは接点エッジ又は接点チップポイントを形成している。
【００１１】
接点素子を、圧刻瘤として構成することも考えられる。該圧刻瘤は、圧刻操作時に亀裂エッジが生じるように圧刻することもできる。該亀裂エッジはその場合、接点接続を改善するために使用される。
【００１２】
有利な実施形態では接点素子はそれ自体、或る所定領域ではばね弾性的にフレキシブルであり、或いは、ばね域を介して接点ばねストリップに接合されている。これによってトレランス補償を実現することが可能になる。
【００１３】
充分確実なＥＭＶ防護を常時保証するために、本発明の可能実施形態によれば、複数の接点素子相互が等ピッチ間隔をとって配置されており、しかもピッチ間隔がＥＭＶ防護要件に応じて特定されている。複数の接点素子は、特定間隔をとって並列的に位置しているので、電磁波が接点ゾーンを許容不能な形式で通過するような事態は防止される。
【００１４】
接点ばねストリップと係止ウェブとの間に安定的な結合が得られるのは特に、接点脚片が、接点ばねストリップのウェブから曲げ出されており、かつ前記ウェブと接点脚片との間の移行領域において複数の係止部が打ち出されて、素子群支持体用フロントパネルの係止ウェブへ向かって屈曲されている場合である。接点ばねストリップにおけるウェブを連続的に一貫して形成することができることによって、接点ばねストリップの設計時に、複数の係止部の位置決め及び寸法決めを最適化することが可能になる。
【００１５】
本発明の接点ユニットは、接点脚片に継手区分が接続されており、該継手区分が、係止ウェブに係止される支持部分に結合されているように構成することもできる。従ってこの接点ばねストリップは２部分から構成される。
【００１６】
この場合、支持部分は実質的にＵ形状に形成されており、かつ１つのウェブと１つの保持ストリップとによって、係止ウェブの２つの対向側でクランプして保持される。前記ウェブはハット区分によって保持ストリップと結合されている。接点脚片の継手区分はその場合、前記ハット区分の領域において支持部分と結合されている。
【００１７】
前記実施形態とは択一的に、接点ばねストリップは、ハット区分を介してウェブに結合された保持ストリップを有し、前記の保持ストリップ、ウェブ及びハット区分が係止ウェブの終端側ヘッド域を少なくとも部分的に包囲係合しており、かつ前記ウェブから接点脚片が、係止ウェブから離反した方向に屈曲されているように構成することもできる。この実施形態の場合には、特に単純に構成された一体的な閉じられたエレメントが得られる。該エレメントは特に、機械的な負荷による影響も敏感には受けにくくなる。
【００１８】
発明を実施するための最良の形態：
次に図面に基づいて本発明の実施例を詳説する。
【００１９】
図１には素子群支持体用フロントパネル３０（以下、略してフロントパネル３０と呼ぶ）が図示されている。該フロントパネル３０は、前面側のプレート状区分を有し、該プレート区分には係止ウェブ３１が直角に接続している。該係止ウェブ３１はその自由端にヘッド域３３を形成している。該ヘッド域３３は外側に、連続的に一貫した係止溝３２を有している。更にフロントパネル３０は係止ウェブ３１の足部域に外向き溝３４を有している。前記フロントパネル３０は、連続押出し形材区分として一体成形されている。係止ウェブ３１及びフロントパネル３０上には接点ばねストリップ１０が載設される。該接点ばねストリップの構成の詳細は、図２及び図３に基づいて明らかである。これらの図面から判るように、接点ばねストリップ１０は背面側に保持ストリップ１３を有し、該保持ストリップの自由端から移行区分１２を介して屈曲部１１が曲げ出されている。該屈曲部１１から離反する方向では保持ストリップ１３は、Ｕ形帽子状のハット区分１４へ移行している。該ハット区分１４にはウェブ１５が続き、該ウェブは、保持ストリップ１３に対して平行にか又はやや角度をとって配設することができる。ウェブ１５は、ハット区分１４から離反した方の端部で、接点脚片１６に移行している。該接点脚片１６は実質的に、相互にＶ形状に配置された２つの脚片部分から成っている。接点脚片１６は、接点ばねストリップ１０の長手方向で連続的に一貫して延在する１つの接点面を形成する。接点脚片１６はその自由端を内向きに屈曲された終端区分１７で終わっている。ウェブ１５から複数の係止部１９が打ち出されて保持ストリップ１３へ向かって屈曲されている。複数の係止部１９相互は均等なピッチで隔てられている。係止部１９自体はウェブ１５と接点脚片１６との間の移行域で屈曲されている。
【００２０】
図２から判るように、接点面上に複数の接点素子１８が分配して配置されている。該接点素子１８は本例では、接点脚片１６の接点面から押出されて、保持ストリップ１３から離反する方向に屈曲された圧刻部として形成されている。該圧刻部は接点エッジ又は接点チップポイントを有することもできる。
【００２１】
図３から判るように、接点ばねストリップ１０は、規則的な間隔をとって分割スリット２０を有することもできる。該分割スリット２０はその場合、屈曲部１１、移行区分１２及びハット区分１４を分割する。この場合ハット区分１４は完全離断又は部分離断することができる。本実施例ではハット区分１４は、部分的に離断されているにすぎない。従って接点ばねストリップ１０には比較的大きな曲げ剛さが得られる。
【００２２】
図１から判るように、接点ばねストリップ１０は係止ウェブ３１上に簡単に組付けることができる。この組付けのために接点ばねストリップ１０の移行区分１２が、フロントパネル３０のヘッド域３３の成形斜面上に載設される。次いで前記成形斜面に沿って屈曲部１１が誘導成形される。接点ばねストリップは次いで、屈曲部１１を係止ウェブ３１の成形エッジの後方にスナップ係合させるまで係止ウェブ３１の内面に沿ってシフトされる。この組付け位置では係止部１９も係止ウェブ３１の係止溝３２内に係止する。接点脚片１６の端部は組付け位置においては自在に旋回可能であるので、接点脚片１６の終端区分１７を外向き溝３４内へ導入することが可能である。
【００２３】
図４及び図５では、接点ばねストリップ１０の実施形態の変化態様が説明されている。フロントパネル３０の構造は、図１で示したフロントパネル３０の実施形態に実質的に等しい。図４に示した接点ばねストリップ１０は、２部分構造を有している。従って接点脚片１６から屈曲部１６．１が曲げ出され、該屈曲部自体は、曲げ出された継手区分１６．２へ移行している。該継手区分１６．２は、支持部分の保持ストリップ１３に面接触している。継手区分１６．２は保持ストリップ１３の領域で支持部分に接合されている。係止ウェブ３１のヘッド域３３において屈曲部１６．１が支持部分のハット区分１４上に載置している。
【００２４】
接点ばねストリップ１０の保持を改善するために、係止ウェブ３１に支持される複数の突起２１が設けられている。該突起２１は、係止ウェブ３１の表面内に食い込んで接点接続を改善する保持爪として構成することができる。
【００２５】
図５に示した実施形態では接点脚片１６から１つの継手区分１６．２が屈曲されている。該継手区分は支持部分のハット区分１４上に載置されて、該ハット区分と接合されている。その他の点では接点ばねストリップ１０の構成は、図４に示した形態に相当している。
【図面の簡単な説明】
【００２６】
【図１】接点ばねストリップと素子群支持体用フロントパネルとから成る接点ユニットの側面図である
【図２】図１に示した接点ばねストリップの斜視的な正面図である
【図３】図２に示した接点ばねストリップの斜視的な背面図である
【図４】素子群支持体用フロントパネルと接点ばねストリップとから成る接点ユニットの別の実施形態の側面図である
【図５】図４に示した素子群支持体用フロントパネルを、接点ばねストリップの変化態様と共に示した側面図である
【符号の説明】
【００２７】
１０    接点ばねストリップ、  １１    屈曲部、  １２    移行区分、  １３    保持ストリップ、  １４    Ｕ形帽子状のハット区分、  １５    ウェブ、  １６    接点脚片、  １６．１    屈曲部、  １６．２    継手区分、  １７    終端区分、  １８    接点素子、  １９    係止部、  ２０    分割スリット、  ２１    突起、  ３０    素子群支持体用フロントパネル、  ３１    係止ウェブ、  ３２    係止溝、  ３３    ヘッド域、  ３４    外向き溝
【国際公開パンフレット】
2004524659.tif 000003
2004524659.tif 000004
2004524659.tif 000005
2004524659.tif 000006
2004524659.tif 000007
2004524659.tif 000008
2004524659.tif 000009
2004524659.tif 000010
2004524659.tif 000011
2004524659.tif 000012
2004524659.tif 000013
2004524659.tif 000014
2004524659.tif 000015
2004524659.tif 000016
2004524659.tif 000017
【国際調査報告】
2004524659.tif 000018
2004524659.tif 000019
2004524659.tif 000020
2004524659.tif 000021
2004524659.tif 000022
2004524659.tif 000023